(57)【特許請求の範囲】
【請求項１】
内部に複数の飲料容器を収容可能なタンクと、
前記タンクに収容した前記複数の飲料容器の各飲料容器に１本ずつ挿入可能で、各々が個別飲料流路の少なくとも一部を形成する複数の第１のチューブと、
前記タンク内の気体圧力を上昇させる昇圧手段と、
前記昇圧手段による気体圧力の上昇によって前記複数の第１のチューブに導入された飲料を合流させる飲料合流室と、
前記飲料合流室で合流させた前記飲料を注出する飲料注出手段と、
を備えた飲料サーバーであって、
前記飲料合流室の上流側には、前記タンクに実際に収容される前記飲料容器の数に応じて、当該タンクに実際に収容される当該飲料容器に対応する前記個別飲料流路だけを開放し、その他の前記個別飲料流路を閉塞可能な飲料流路開閉手段が設けられており、
前記飲料流路開閉手段は、前記タンクの外側に設けられており、前記タンクを開けることなく外部から前記個別飲料流路の開放および閉塞を行うことができるように構成されていることを特徴とする飲料サーバー。
【請求項２】
前記タンクと、前記飲料注出手段とが別体に構成され、前記タンクには前記飲料合流室が形成され、前記タンクと前記飲料注出手段とは、前記タンクから前記飲料注出手段まで前記飲料を導く飲料流路の少なくとも一部を形成する第２のチューブを介して互いに連結されていることを特徴とする請求項１に記載の飲料サーバー。
【請求項３】
前記飲料注出手段には前記昇圧手段が形成され、前記飲料注出手段と前記タンクとは、前記昇圧手段によって圧力が上昇した気体を前記飲料注出手段から前記タンクまで導く気体流路の少なくとも一部を形成する第３のチューブを介して互いに連結されていることを特徴とする請求項２に記載の飲料サーバー。
【請求項４】
前記飲料注出手段は、攪拌により前記飲料を泡立てする飲料泡立て手段を備えることを特徴とする請求項３に記載の飲料サーバー。
【請求項５】
前記昇圧手段と前記飲料泡立て手段とは、１つのモータによって駆動されることを特徴とする請求項４に記載の飲料サーバー。
【請求項６】
前記飲料流路開閉手段は、前記複数の第１のチューブに１対１で対応する複数の飲料流入孔が形成された固定部材と、手動操作可能で、前記タンクに収容された前記飲料容器の数に応じて前記飲料流入孔を選択的に開閉可能に構成された流路開閉板と、を備えることを特徴とする請求項５に記載の飲料サーバー。
【請求項７】
前記固定部材には、前記飲料流入孔が仮想円の円周に沿って１つずつ等間隔に形成され、前記流路開閉板は、前記仮想円の中心に対して回転可能に構成されるとともに、前記飲料流入孔と同じ形成間隔で且つ同数の孔を有することを特徴とする請求項６に記載の飲料サーバー。
【請求項８】
前記飲料合流室は、前記流路開閉板と、内壁が半球状のカバー部材とによって区画されていることを特徴とする請求項７に記載の飲料サーバー。
【請求項９】
前記カバー部材は前記仮想円の中心に対して回転可能に構成され、前記流路開閉板は前記カバー部材に追従して回転するように構成されていることを特徴とする請求項８に記載の飲料サーバー。
【請求項１０】
前記気体流路は、前記カバー部材及び前記固定部材の回転中心に配置されるように、前記飲料合流室を貫いて設けられていることを特徴とする請求項９に記載の飲料サーバー。
【発明の詳細な説明】
【技術分野】
【０００１】
本発明は飲料サーバーに関するものである。
【背景技術】
【０００２】
従来、家庭でも使用できる簡易な飲料サーバーとして、ビール等の飲料缶を飲料サーバー内に配置し、高圧ガスによって缶内の飲料を注出するものが知られている（例えば、特許文献１）。
【０００３】
このような飲料サーバーでは、開口した複数の飲料缶を飲料サーバーの密閉可能な缶収容空間に配置させるとともに、それらの飲料缶内にチューブをそれぞれ挿入する。そして、ガスボンベの開閉弁を開いて高圧ガスを缶収容空間に充満させて缶収容空間の圧力を高め、注出コックを操作することによって飲料缶内の飲料を注出させるようになっている。
【先行技術文献】
【特許文献】
【０００４】
【特許文献１】特開２００２−６８３７９号公報
【発明の概要】
【発明が解決しようとする課題】
【０００５】
この飲料サーバーにおいては、複数の飲料缶に挿入されたチューブを流路切換弁に接続し、複数の飲料缶内の飲料を選択的に注出するようになっている。例えば、飲料缶が２つの場合、一方の飲料缶が空になった後に、流路切換弁を切り換えて他方の飲料缶内の飲料を注出している。
しかしながら、このような飲料サーバーにあっては、飲料缶が空になる毎に流路切換弁を切り換える必要があり、注出作業が繁雑となり、不便である。
【０００６】
本発明は、飲料の注出作業が容易な飲料サーバーを提供することを目的とする。
【課題を解決するための手段】
【０００７】
請求項１に記載の飲料サーバーは、
内部に複数の飲料容器を収容可能なタンクと、
前記タンクに収容した前記複数の飲料容器の各飲料容器に１本ずつ挿入可能で、各々が個別飲料流路の少なくとも一部を形成する複数の第１のチューブと、
前記タンク内の気体圧力を上昇させる昇圧手段と、
前記昇圧手段による気体圧力の上昇によって前記複数の第１のチューブに導入された飲料を合流させる飲料合流室と、
前記飲料合流室で合流させた前記飲料を注出する飲料注出手段と、
を備えた飲料サーバーであって、
前記飲料合流室の上流側には、前記タンクに実際に収容した前記飲料容器の数に応じて、当該タンクに実際に収容した当該飲料容器に対応する前記個別飲料流路だけを開放し、その他の前記個別飲料流路を閉塞可能な飲料流路開閉手段が設けられており、
前記飲料流路開閉手段は、前記タンクの外側に設けられており、前記タンクを開けることなく外部から前記個別飲料流路の開放および閉塞を行うことができるように構成されていることを特徴とする。
【０００８】
請求項２に記載の飲料サーバーは、請求項１に記載の飲料サーバーであって、前記タンクと、前記飲料注出手段とが別体に構成され、前記タンクには前記飲料合流室が形成され、前記タンクと前記飲料注出手段とは、前記タンクから前記飲料注出手段まで前記飲料を導く飲料流路の少なくとも一部を形成する第２のチューブを介して互いに連結されていることを特徴とする。
【０００９】
請求項３に記載の飲料サーバーは、請求項２に記載の飲料サーバーであって、前記飲料注出手段には前記昇圧手段が形成され、前記飲料注出手段と前記タンクとは、前記昇圧手段によって圧力が上昇した気体を前記飲料注出手段から前記タンクまで導く気体流路の少なくとも一部を形成する第３のチューブを介して互いに連結されていることを特徴とする。
【００１０】
請求項４に記載の飲料サーバーは、請求項３に記載の飲料サーバーであって、前記飲料注出手段は、攪拌により前記飲料を泡立てする飲料泡立て手段を備えることを特徴とする。
【００１１】
請求項５に記載の飲料サーバーは、請求項４に記載の飲料サーバーであって、前記昇圧手段と前記飲料泡立て手段とは、１つのモータによって駆動されることを特徴とする。
【００１２】
請求項６に記載の飲料サーバーは、請求項５に記載の飲料サーバーであって、前記飲料流路開閉手段は、前記複数の第１のチューブに１対１で対応する複数の飲料流入孔が形成された固定部材と、手動操作可能で、前記タンクに収容された前記飲料容器の数に応じて前記飲料流入孔を選択的に開閉可能に構成された流路開閉板と、を備えることを特徴とする。
【００１３】
請求項７に記載の飲料サーバーは、請求項６に記載の飲料サーバーであって、前記固定部材には、前記飲料流入孔が仮想円の円周に沿って１つずつ等間隔に形成され、前記流路開閉板は、前記仮想円の中心に対して回転可能に構成されるとともに、前記飲料流入孔と同じ形成間隔で且つ同数の孔を有することを特徴とする。
【００１４】
請求項８に記載の飲料サーバーは、請求項７に記載の飲料サーバーであって、前記飲料合流室は、前記流路開閉板と、内壁が半球状のカバー部材とによって区画されていることを特徴とする。
【００１５】
請求項９に記載の飲料サーバーは、請求項８に記載の飲料サーバーであって、前記カバー部材は前記仮想円の中心に対して回転可能に構成され、前記流路開閉板は前記カバー部材に追従して回転するように構成されていることを特徴とする。
【００１６】
請求項１０に記載の飲料サーバーは、請求項９に記載の飲料サーバーであって、前記気体流路は、前記カバー部材及び前記固定部材の回転中心に配置されるように、前記飲料合流室を貫いて設けられていることを特徴とする。
【発明の効果】
【００１７】
本発明の飲料サーバーによれば、飲料合流室の上流側には、タンクに実際に収容した飲料容器の数に応じて、当該タンクに実際に収容した当該飲料容器に対応する個別飲料流路だけを開放し、その他の個別飲料流路を閉塞可能な飲料流路開閉手段が設けられているので、飲料の注出作業が容易となる。
また、タンクと飲料注出手段とを別体とすることで、注出作業が容易となる。さらに、昇圧手段が飲料注出手段に設けられたものでは、昇圧手段の操作を手元で行えるので便利である。また、飲料泡立て手段を有するものでは、飲料に泡を付加することができるので、変化に富んだ飲料の提供が可能となる。さらに、１つのモータで昇圧と泡立てを行うものでは、安価な飲料サーバーが実現できる。また、流路開閉板を用いて飲料流路を開閉するものでは、飲料流路の１つ１つに開閉弁等を設ける場合に比べて、安価な飲料サーバーが実現できる。さらに、飲料合流室の内側が半球状となっているものでは、合流時に飲料が泡立つことが防止され、不必要に飲料に泡が混入することが防止される。また、カバー部材の回転によって流路開閉板を回転させるものでは、流路開閉板の操作が簡単となる。そして、気体流路がカバー部材及び固定部材の回転中心に配置されるものでは、気体流路及び飲料流路を共にカバー部材に一緒に取り付けることができる。
【図面の簡単な説明】
【００１８】
【図１】本発明の飲料サーバーの一実施形態を示した斜視図である。
【図２】本実施形態の飲料サーバーにおけるタンクの内部を示した斜視図である。
【図３】本実施形態の飲料サーバーにおけるタンク上部の要部断面図である。
【図４】本実施形態の飲料サーバーにおける上部タンクを分解して示した斜視図である。
【図５】ドーム体を上部タンクに締結する作用を説明するための断面図である。
【図６】飲料容器選択機構を説明するための図で、（Ａ）は３つの飲料容器を使用する態様を示し、（Ｂ）は２つの飲料容器を使用する態様を示し、（Ｃ）は１つの飲料容器を使用する態様を示している。
【図７】本実施形態の飲料サーバーを示した平面図である。
【図８】本実施形態の飲料サーバーにおける飲料注出器を示した断面図である。
【図９】図８に示した飲料注出器の作用を説明するための要部拡大図である。
【発明を実施するための形態】
【００１９】
以下、本発明の飲料サーバーを図面に示した実施形態に基づいて説明する。
【００２０】
《全体構成》
実施形態の飲料サーバー１は、例えば飲料缶等の飲料容器Ａ（Ａ１〜Ａ３）を収容可能なタンク１０と、タンク１０とは別体に構成された飲料注出器３０と、タンク１０と飲料注出器３０とを互いに連結するチューブ６４ａ，６４ｂとを備えている。そして、この飲料サーバー１では、タンク１０に収容した飲料容器Ａ内の飲料をチューブ６４ｂを介して飲料注出器３０に導き、この飲料注出器３０で注出するように構成されている。
【００２１】
《細部構成》
１．タンク１０について
タンク１０は樽状を成している。このタンク１０は、図２に示すように、複数の飲料容器Ａ（２点鎖線で示す）を収容する下部タンク１１と、複数の飲料容器Ａ１〜Ａ３内の飲料を合流させる後述の飲料合流室が画成される上部タンク１２とによって構成されている。
【００２２】
下部タンク１１には、隔壁１３によって４つの空間１４ａ〜１４ｄが形成されている。このうちの１つの空間１４ｄは、２つのメッシュ板１３ａと下部タンク１１の内面とによって仕切られている。この空間１４ｄには、氷が収容され、タンク１０に収容された飲料容器Ａ１〜Ａ３を保冷する。また、３つの空間１４ａ〜１４ｃの床には本数マーク１１ａ〜１１ｃが表示されている。そして、複数の飲料容器Ａを収容する場合には本数マーク１１ａから１１ｂそして１１ｃとこの順に設置するようにされている。
【００２３】
上部タンク１２は、図３に示すように、ドーム体（カバー部材）１５を備えている。このドーム体１５は、上部タンク１２の天井璧上に設置され、その内部に半球状の飲料合流室１６が形成されている。
【００２４】
ドーム体１５は締結リング１７を上部タンク１２の天井壁に固定設置される環状枠１８に係合させることよって上部タンク１２の天井壁に取り付けられる。
すなわち、図４に示すように、ドーム体１５は下部周縁に外向きフランジ１５ａを有している。また、ドーム体１５の下部開口には、後述する飲料容器選択機能を有する円板１９が一体的に配設される。この円板１９は飲料流路開閉板を構成する。一方、締結リング１７は、半径方向内部に張り出す内向きフランジ１７ａを有し、また、外周面の３箇所にそれぞれ半径方向外方に張り出す舌片１７ｂを有している（ただし、図４には２つの舌片１７ｂだけが図示されている。）。そして、舌片１７ｂの上面には、上面が傾斜面を成す凸部１７ｃが形成されている。また、上部タンク１２の環状枠１８は、半径方向内方に張り出す内向きフランジ１８ａを有しており、その内向きフランジ１８ａの３箇所には、締結リング１７の舌片１７ｂが挿嵌される弧状の切欠き１８ｂが形成されている。
【００２５】
そして、締結リング１７をドーム体１５の外向きフランジ１５ａに被せ、その締結リング１７の舌片１７ｂを環状枠１８の切欠き１８ｂに挿嵌させ、所定方向に回動させる。すると、図５に示すように、締結リング１７の凸部１７ｃが楔作用によって下方に押圧され、それによってドーム体１５が上部タンク１２の天井壁に取り付けられる。
【００２６】
その際、円板１９もドーム体１５によって上部タンク１２の天井壁に取り付けられる。この円板１９には、図４に示すように中央に空気流通孔１９ａと、その周縁に飲料用の孔１９ｂ〜１９ｄが形成されている。そして、空気流通孔１９ａには、飲料合流室１６に貫設された空気受給管１５ｄの下端が挿通され、空気受給管１５ｄの下端は下部タンク１１に開口している。一方、孔１９ｂ〜１９ｄには、図２に示すチューブ（第１のチューブ）２０ａ〜２０ｃの一端部が連通されている。この孔１９ｂ〜１９ｄとチューブ２０ａ〜２０ｃとの連通のため上部タンク１２の天井壁（固定部材）には３つの飲料流入孔が形成されている。すなわち、孔１９ｂ〜１９ｄが形成された円板１９と、３つの飲料流入孔が形成された天井壁とは飲料流路開閉手段を構成している。
なお、円板１９と上部タンク１２の天井壁との間には例えばシリコン製のパッキン４０が取り付けられる。このパッキン４０は上面視で円形に形成され、上記１９ａ〜１９ｄに１対１で対応する孔４０ａ〜４０ｄが形成されている。このパッキン４０の下面には孔４０ａ〜４０ｄに連通する管状部分が付設され、この管状部分は上部タンク１２の天井壁の孔に差し込まれている。これによりパッキン４０の位置ずれが防止される。この管状部分に代えて、或いはこの管状部分に加えて、パッキン４０の下面に例えば凹部（図示せず）を形成し、孔４０ａ〜４０ｄと天井壁の孔とが合致した位置で、この凹部を上部タンク１２の天井壁に形成した凸部（図示せず）と嵌合させる構成としてもよい。以上のように構成されたパッキン４０は、飲料合流室１６からの液漏れを防止する働きをする。
【００２７】
次に、円板１９の飲料容器選択作用つまり飲料流路開閉作用について説明する。
孔１９ｂ〜１９ｄが形成される円板１９の回転に伴って、図６（Ａ）に示すように、円板１９の孔１９ｂ〜１９ｄがチューブ２０ａ〜２０ｃに全て合致している場合は、飲料容器Ａ１〜Ａ３の全てがチューブ２０ａ〜２０ｃを介してドーム体１５の飲料合流室１６に連通される。また、図６（Ｂ）に示すように、円板１９の孔１９ｃ，１９ｄがチューブ２０ａ，２０ｂに合致している場合は、飲料容器Ａ１，Ａ２だけがチューブ２０ａ，２０ｂを介してドーム体１５の飲料合流室１６に連通される。さらに、図６（Ｃ）に示すように、円板１９の孔１９ｄがチューブ２０ａにのみ合致している場合は、飲料容器Ａ１だけがチューブ２０ａを介してドーム体１５の飲料合流室１６に連通される。
【００２８】
この飲料容器選択は、例えば、締結リング１７を反対方向に回動させて、ドーム体１５と上部タンク１２の天井壁との圧接を解除し、ドーム体１５を回動させ、ドーム体１５から半径方向外方へ突出させた突出片１５ｃを上部タンク１２の天井壁に表示した本数マーク１２ａ〜１２ｃに合致させることによって行われる。或いは、締結リング１７を回動させずに、ドーム体１５を回動させるだけで飲料容器選択を行う構成としてもよい。なお、環状枠１８には突起１８ｃが立設されている。この突起１８ｃは、突出片１５ｃの回動範囲を規制するためのストッパーの役割を担う。
【００２９】
なお、図７に示すように、上部タンク１２の天井壁周縁には、フック２１が鉛直軸を中心に回動自在に支持されている。また、上部タンク１２は、ヒンジ２２によって下部タンク１１に開閉自在に連結され、それらは、胴部周面に配設したバックル２３によって互いに締結される。また、タンク１０の胴部には、肩掛けベルト挿通孔２４が形成されている。この肩掛けベルト挿入孔２４を利用して、タンク１０に肩掛けベルト（図示せず）を取り付けることによって、飲料サーバー１の持ち運びが容易となる。
【００３０】
２．飲料注出器３０について
飲料注出器３０は，飲料注出手段を構成し、圧縮空気をタンク１０内に供給し、その圧力によって飲料容器内の飲料を飲料注出器３０に送給させ、飲料注出器３０からカップ等に注出するもので、図８および図９に示すように、操作レバー３１を備えている。この操作レバー３１は、軸３１ａに卷回した図示しないねじりコイルばねによって図８，９において反時計方向に付勢されている。
【００３１】
操作レバー３１の軸３１ａ周面には、位置決め片３２が突設されている。この位置決め片３２には、３箇所に凹部３２ａ，３２ｂ，３２ｃが形成されている。一方、飲料注出器３０の枠体には合成樹脂製等による弾性部材３３が形成され、その弾性部材３３の爪３３ａが位置決め片３２の凹部の３２ａ，３２ｂ，３２ｃのいずれか１つに弾性的に係合可能となっている。そして、操作レバー３１が点線で示した初期位置ａ、実線で示した飲料注出位置ｂ、２点鎖線で示した飲料泡立て位置ｃにおいて操作レバー３１を位置決めする。なお、ここでの位置決めはクリック感を持たせるためのもので、ねじりコイルばねによる操作レバー３１の初期位置への復帰を妨げるものではない。
【００３２】
飲料注出器３０は、図８に示すように、モータ３４を備えている。このモータ３４は、飲料注出器３０の枠体に設置されたモータ始動スイッチ３５を軸３１ａに設置したスイッチ作動片３６で作動することで起動される。この飲料注出器３０では、操作レバー３１の初期位置ａで、スイッチ作動片３６がスイッチ３５のボタンに非接触状態にあり、操作レバー３１が操作されると、スイッチ作動片３６がスイッチ３５のボタンに接触するように設定されている。
【００３３】
モータ３４の駆動軸には、図８に示すように、歯車３７が固定して設けられている。この歯車３７の偏心位置には円柱ピン３８が突設されている。一方、飲料注出器３０には、ダイヤフラムポンプ３９が設置されている。このダイヤフラムポンプ３９は昇圧手段を構成している。このダイヤフラムポンプ３９のダイヤフラムを作動する作動片４０には、歯車３７の円柱ピン３８の径よりも大きな孔（図示せず）が形成されている。そして、歯車３７の円柱ピン３８がダイヤフラムポンプ３９の作動片４０の上記孔に挿嵌され、歯車３７の回転運動が、円柱ピン３８の偏心運動によって作動片４０の上下の往復運動に変換され、それによってダイヤフラムポンプ３９が作動される。
【００３４】
また、このダイヤフラムポンプ３９は、操作レバー３１の操作を中止したとき、すなわち、操作レバー３１が初期位置ａに戻ったときに、残圧によって飲料が飲料注出器３０の注出口３０ａから流出しないように、残圧を外部に逃がす、いわゆるリリース弁機構を備えている。
【００３５】
このリリース弁機構は、一端をダイヤフラムポンプ３９の圧力室に連通させ、他端を大気に開放させたチューブ４１と、飲料注出器３０の枠体に配設された押圧アーム４２と、操作レバー３１の軸３１ａの周面に突設され、押圧アーム４２を閉塞する弧状のブロック突起４３を備えている。なお、上記チューブ４１は、ダイヤフラムポンプ３９からタンク１０まで圧縮空気を導く気体流路とは別個に設けられる。
【００３６】
このリリーフ弁機構によれば、操作レバー３１の操作を開始してモータ３４が作動されるタイミングで、ブロック突起４３によって押圧アーム４２がチューブ４１を押し潰すことで、チューブ４１が閉塞状態に維持される。そして、操作レバー３１の操作を解放したとき、押圧アーム４２を拘束していたブロック突起４３から押圧アーム４２が解放され、それによってチューブ４１の閉塞状態が解放され、ダイヤフラムポンプ３９の圧力室内の圧力が大気圧になる。したがって、残圧は解消され、飲料の供給は確実に停止される。
【００３７】
また、この飲料注出器３０は、飲料泡立て手段を備えている。この飲料泡立て手段は、例えば、飲料容器Ａに入った飲料がビールのように発泡性を有する場合に使用される。この飲料泡立て手段は、飲料注出口３０ａの内部に回転自在に配設された泡立て羽根４４と、操作レバー３１が飲料泡立て位置ｃに達したときだけ、歯車３７と泡立て羽根４４とを連結させるクラッチ機構４５と、操作レバー３１が飲料泡立て位置ｃに達したときに、注出口３０ａの付近に配置された飲料送給チューブ４６を押圧して、飲料供給量を制限する飲料供給量制限レバー４７とを備えている。また、飲料注出器３０は、飲料注出口３０ａ内に、飲料を巻き散らさないよう整流状態にするための筒状体３０ｂを備えている。
【００３８】
上記泡立て羽根４４は、回転軸４８の一端に着脱自在に装着される。
また、クラッチ機構４５は、係合ブロック４９と、回転軸５３と、スライド板５６と、クラッチレバー５８とを備えている。係合ブロック４９は回転軸４８に固定されている。回転軸５３は、一端に係合ブロック５０を有し、中間部に鍔５１を有し、他端部に歯車５２を有している。この回転軸５３は、回転軸４８と同一軸線上に位置し、軸方向に移動可能に設置されている。スライド板５６は、飲料注出器３０の枠体に対して回転軸４８と同方向に移動可能に設置されている。このスライド板５６は、アーム５４を備え、このアーム５４は上記鍔５１に係合されている。また、スライド板５６は円弧状の長孔５５を有している。クラッチレバー５８は、操作レバー３１の軸３１ａに設置され、端部にピン５７が突設されている。そして、クラッチレバー５８のピン５７はスライド板５６の長孔５５に挿嵌される。
なお、一方の係合ブロック５０の外周には円周方向に沿って等間隔に複数の突起（凸条）５０ａが形成され、他方の係合ブロック４９の内周には、上記突起５０ａが１対１で嵌合する溝（凹条）４９ａが形成されている。ただし、この係合ブロック５０，４９は互いの摩擦力又は磁力によって或いは歯車によって互いに係合されるように構成されてもよい。
【００３９】
このクラッチ機構４５では、スライド板５６がスプリング５９によって図９において左方に付勢され、所定の位置に維持される。そして、操作レバー３１が初期位置ａにある状態では、クラッチレバー５８のピン５７は、スライド板５６における長孔５５の左端位置にあり、アーム５４は左方に位置している。したがって、係合ブロック５０と係合ブロック４９は非係合状態にある。
操作レバー３１が操作されると、モータ３４が起動され、歯車３７，５２を介して回転軸５３が駆動される。この状態におけるクラッチレバー５８のピン５７は、スライド板５６の長孔５５の中間位置にあり、したがって、スライド板５６は移動されず、回転軸５３の係合ブロック５０と回転軸４８の係合ブロック４９とは、依然離反した状態のままである。
【００４０】
さらに操作レバー３１が作動され、飲料泡立て位置ｃに達すると、クラッチレバー５８のピン５７がスライド板５６における長孔５５の右端に達し、操作レバー３１のさらなる作動に伴って、スライド板５６が図９において右方に移動される。そして、アーム５４，鍔５１を介して回転軸５３が右方へ移動され、係合ブロック５０の突起５０ａが回転軸４８の係合ブロック４９の溝４９ａに嵌合（係合）する。したがって、係合ブロック５０，４９を介して回転軸５３の動力が回転軸４８に伝達され、泡立て羽根４４が回転される。同時に、第９図において２点鎖線で示したように、飲料供給制限レバー４７がクラッチレバー５８の突部５８ａによって図において反時計方向に回動され、チューブ４６の一部を押し潰す。
この状態では、注出口３０ａに供給される飲料の量が減少され、注出口３０ａに供給された飲料は、泡立て羽根４４の回転によって泡立てられる。このように飲料の量を少なくすることによって、より泡立てがし易くなるという効果が得られる。
【００４１】
なお、飲料注出器３０においては、把手６０に電池収容室が形成され、後部に電源スイッチ６１が設置されている。また、飲料注出器３０の上面には、フック掛け６２が形成されている。そして、飲料注出器３０のフック掛け６２を、図７に示すように、タンク１０のフック２１に係合させることによって、飲料注出器３０がタンク１０に係止される。
【００４２】
また、飲料注出器３０の空気送給口６３およびタンク１０の空気受給管１５ｄにチューブ（第３のチューブ）６４ａを挿嵌させ、飲料注出器３０の飲料受給口６４およびタンク１０の飲料送給管１５ｅにチューブ（第２のチューブ）６４ｂを挿嵌させる。
【００４３】
３．使用方法について
このように構成された飲料サーバー１では、図２に示すように、下部タンク１１に１〜３個の飲料容器Ａ１〜Ａ３を収容し、それらの飲料容器Ａ１〜Ａ３にチューブ２０ａ〜２０ｃの端部を挿入した後に上部タンク１２を下部タンク１１に締結する。そして、収容した飲料容器Ａの数に対応する本数マーク１２ａ〜１２ｃにドーム体１５の突出片１５ｃを合わせ、ドーム体１５をタンク１０に締結する。
そして、肩掛けベルトによってタンク１０を肩に掛けて運搬し、飲料をカップ等に注ぐ際には、飲料注出器３０をタンク１０から外し、操作レバー３１を操作することによって飲料を注出口３０ａからカップ等に注ぐ。そして、泡立てが必要な場合には、操作レバー３１をさらに作動させる。
【００４４】
《発明の変形例》
以上、本発明の実施形態について説明したが、本発明は、かかる実施形態に限定されず、その要旨を逸脱しない範囲で種々変形可能であることはいうまでもない。
【００４５】
例えば、上記実施形態では、飲料容器として飲料缶の場合を説明したが、飲料瓶や飲料箱を飲料容器としてもよい。
【符号の説明】
【００４６】
１    飲料サーバー
１０    タンク
１１    下部タンク
１２    上部タンク
１５    ドーム体
１６    飲料合流室
１９ 円板
２０ａ〜２０ｃ    チューブ
３０    飲料注出器
３４    モータ
３９    ダイヤフラムポンプ
４４    泡立て羽根
６４ａ，６４ｂ    チューブ
Ａ１〜Ａ３    飲料容器
【要約】      （修正有）【課題】注出作業が容易な飲料サーバーを提供すること。【解決手段】内部に複数の飲料容器を収容可能なタンクと、前記タンクに収容した前記複数の飲料容器の各飲料容器に１本ずつ挿入可能で、各々が個別飲料流路の少なくとも一部を形成する複数の第１のチューブと、前記タンク内の気体圧力を上昇させる昇圧手段と、前記昇圧手段による気体圧力の上昇によって前記複数の第１のチューブに導入された飲料を合流させる飲料合流室１６と、前記飲料合流室で合流させた前記飲料を注出する飲料注出手段と、を備えた飲料サーバーであって、前記飲料合流室の上流側には、前記タンクに実際に収容した前記飲料容器の数に応じて、当該タンクに実際に収容した当該飲料容器に対応する前記個別飲料流路だけを開放し、その他の前記個別飲料流路を閉塞可能な飲料流路開閉手段１９が設けられている。【選択図】図３【図１】
0006017616.tif 000002
【図２】
0006017616.tif 000003
【図３】
0006017616.tif 000004
【図４】
0006017616.tif 000005
【図５】
0006017616.tif 000006
【図６】
0006017616.tif 000007
【図７】
0006017616.tif 000008
【図８】
0006017616.tif 000009
【図９】
0006017616.tif 000010